(57)【要約】【課題】圏外となった場合に消費電力は抑制しながらも通信機能以外のアプリケーションは使用可能とする携帯情報端末装置を提供する。【解決手段】外部との無線通信を行う無線部１１３と、この無線部１１３を制御する制御部（制御部１３０）を含むベースバンド部１１２と、を備える携帯情報端末装置（例えば携帯電話機１００）である。無線部１１３への電源供給を遮断する電源供給遮断手段（制御部１３０、第１スイッチ１１４）を備える。当該携帯情報端末装置１００が無線通信の圏外となった場合に、ベースバンド部１１２への電源供給は維持したままで、電源供給遮断手段１３０，１１４により無線部１１３への電源供給を遮断する。【選択図】    図３
2004343383.tif 000002
【特許請求の範囲】
【請求項１】
外部との無線通信を行う無線部と、この無線部を制御する制御部を含むベースバンド部と、を備える携帯情報端末装置において、
前記無線部への電源供給を遮断する電源供給遮断手段を備え、
当該携帯情報端末装置が前記無線通信の圏外となった場合に、前記ベースバンド部への電源供給は維持したままで、前記電源供給遮断手段により前記無線部への電源供給を遮断するようにしたことを特徴とする携帯情報端末装置。
【請求項２】
外部との無線通信を行う無線部と、この無線部を制御する制御部を含むベースバンド部と、を備える携帯情報端末装置において、
前記無線部への電源供給を遮断する電源供給遮断手段と、
当該携帯情報端末装置が前記無線通信の圏外となった場合に該圏外状態の継続時間を計測する圏外継続時間計測手段と、
を備え、
前記圏外継続時間計測手段により計測される前記継続時間が所定時間を越えた場合に、前記ベースバンド部への電源供給は維持したままで、前記電源供給遮断手段により前記無線部への電源供給を遮断するようにしたことを特徴とする携帯情報端末装置。
【請求項３】
前記電源供給遮断手段は、
前記無線部への電源の供給状態／遮断状態を切り替えるための電源供給／遮断切替スイッチを備えて構成され、
前記電源供給／遮断切替スイッチを遮断状態に切り替えることにより、前記無線部への電源供給の遮断を行うようにしたことを特徴とする請求項１又は２に記載の携帯情報端末装置。
【請求項４】
前記無線部への電源供給が前記電源供給遮断手段により遮断されてからの経過時間を計測する遮断時間計測手段と、
前記遮断時間計測手段により計測される前記経過時間が所定時間を越えた場合に、前記無線部への電源供給を再開する電源供給再開手段と、
を備えることを特徴とする請求項１乃至３のいずれか一項に記載の携帯情報端末装置。
【請求項５】
前記電源供給遮断手段による電源供給遮断の際に、前記制御部による前記無線部の制御を遮断する制御遮断手段を備えることを特徴とする請求項１乃至３のいずれか一項に記載の携帯情報端末装置。
【請求項６】
前記制御遮断手段は、
前記制御部から前記無線部への制御の伝達状態／遮断状態を切り替えるための制御伝達／遮断切替スイッチを備えて構成され、
前記制御伝達／遮断切替スイッチを遮断状態に切り替えることにより、前記制御遮断手段が前記無線部への制御の遮断を行うようにしたことを特徴とする請求項５に記載の携帯情報端末装置。
【請求項７】
前記無線部への電源供給が前記電源供給遮断手段により遮断されてからの経過時間を計測する遮断時間計測手段と、
前記遮断時間計測手段により計測される前記経過時間が所定時間を越えた場合に、前記無線部への電源供給と該無線部の前記制御部による制御とを再開する電源供給・制御再開手段と、
を備えることを特徴とする請求項５又は６に記載の携帯情報端末装置。
【請求項８】
前記ベースバンド部は、カメラ機能、音楽再生機能、スケジュール管理機能、電卓機能及びアラーム機能のうち少なくとも一つの機能を有することを特徴とする請求項１乃至７のいずれか一項に記載の携帯情報端末装置。
【請求項９】
当該携帯情報端末装置は、携帯電話機であることを特徴とする請求項１乃至８のいずれか一項に記載の携帯情報端末装置。
【請求項１０】
外部との無線通信を行う無線部と、この無線部を制御する制御部を含むベースバンド部と、を備える携帯情報端末装置の消費電力を抑制する方法において、
前記携帯情報端末装置が前記無線通信の圏外となった場合に、前記ベースバンド部への電源供給は維持したままで前記無線部への電源供給を遮断することを特徴とする消費電力抑制方法。
【請求項１１】
外部との無線通信を行う無線部と、この無線部を制御する制御部を含むベースバンド部と、を備える携帯情報端末装置の消費電力を抑制する方法において、
前記携帯情報端末装置が前記無線通信の圏外となる状態の継続時間が所定時間を越えた場合に、前記ベースバンド部への電源供給は維持したままで前記無線部への電源供給を遮断することを特徴とする消費電力抑制方法。
【請求項１２】
前記圏外となることに基づき前記無線部への電源供給が遮断されてからの経過時間が所定時間を越えた場合に、前記無線部への電源供給を再開することを特徴とする請求項１０又は１１に記載の消費電力抑制方法。
【請求項１３】
前記圏外となることに基づく前記無線部への電源供給遮断の際に、前記制御部による前記無線部の制御も遮断することを特徴とする請求項１０又は１１に記載の消費電力抑制方法。
【請求項１４】
前記圏外となることに基づき前記無線部への電源供給が遮断されてからの経過時間が所定時間を越えた場合に、前記無線部への電源供給と該無線部の前記制御部による制御とを再開することを特徴とする請求項１３に記載の消費電力抑制方法。
【発明の詳細な説明】
【０００１】
【発明の属する技術分野】
本発明は、携帯情報端末装置及びその消費電力抑制方法に関する。
【０００２】
【従来の技術】
従来、携帯電話機のような携帯情報端末装置は、例えば基地局を介して、他の携帯情報端末装置との間で無線通信（通話、電子メール送受信等）を行うことができるように構成されている。
【０００３】
このような携帯情報端末装置が、例えば、付近に基地局の存在しないような場所或いは電波の届きにくい建物内に移動したような場合、つまり、該端末装置が所謂圏外となった場合には、該端末装置は基地局との無線通信が不可能になる。
【０００４】
しかし、このように圏外となった場合は通信不可能な状態であるにも拘わらず、従来の携帯情報端末装置は、間欠的に周囲の基地局との通信を試みて受信待受けを行おうとする。すなわち、基地局サーチの動作を行う。
【０００５】
ここで、圏外での基地局サーチの試行に必要な電力は、圏内の場合よりも大きい。つまり、圏外では、通信不可能であるため結果的に無駄となる電力を、圏内の場合よりも急速に消費してしまっていた。
【０００６】
このような消費電力の無駄を極力抑制しようとするためには、例えば、圏外となる都度こまめに電源をオフにすれば良い。
【０００７】
しかし、使用者は、携帯情報端末装置の圏外表示を確認しなければ圏外か否かを認識できないため、圏外でも電源をオンにしたままで携行する結果として電力消費に無駄が生じてしまうことは、非常にしばしば起こりえていた。
【０００８】
このような電力消費の無駄を抑制するための従来技術としては、圏外となった場合に携帯情報端末装置の電源を自動的にオフにするという技術がある（例えば、特許文献１参照）。
【０００９】
【特許文献１】
特開平７−９５１４４号公報（第２−３頁）
【００１０】
【発明が解決しようとする課題】
近年は、このような携帯情報端末装置、例えば携帯電話機として、従来の通信機能（通話機能、電子メール送受信機能）の他に、スケジュール管理機能、電卓機能、音楽再生機能、アラーム（目覚まし）機能及びカメラ機能等のアプリケーションを備える多機能タイプのものが普及しつつある。
【００１１】
なお、このような多機能タイプの携帯電話機においては、通信機能以外のアプリケーションを使用している最中にも間欠的に基地局サーチの動作を行うといったように、通信機能に関する処理もアプリケーションに関する処理と並行して行う。
【００１２】
ところで、このような多機能タイプの携帯電話機の場合は、たとえ圏外となることが明らかな場所、例えば海外に行くようなときであっても、通信機能以外のアプリケーションを使用したいがために手放すことができないというケースが生じる。
【００１３】
しかし、海外では通信できる基地局が存在しないので、携帯電話機が基地局サーチの動作を繰り返し行うこととなり、しかもこの動作では、圏内の場合における待受け時よりも大きい電力を消費するため、電池の消耗が極めて激しくなる。その結果、アプリケーションを使用可能な時間が極端に短くなってしまう。
【００１４】
また、アプリケーションを使用する際に電源をオンにし、使用しない場合には電源をオフにするといった処置をとれば電池消耗は抑制できるが、電源オフ時には、例えばアラーム機能のように常時電源をオンにしていなければ無意味となる機能は使用できないという問題もある。
【００１５】
さらに、このような多機能タイプの携帯情報端末装置に対し、例えば特許文献１の技術を適用することにより消費電力の無駄を抑制しようとすれば、海外等の圏外に行ったときには該携帯情報端末装置の電源が自動的にオフになってしまうので、上記のような通信機能以外のアプリケーションを使いたくても使えないという問題が生じてしまう。
【００１６】
本発明は、上記のような問題点を解決するためになされたもので、圏外となった場合に、手動で電源をオン／オフしないでも消費電力を抑制でき、しかも、通信機能以外のアプリケーションは使用可能とし、加えて、消費電力を抑制する結果としてアプリケーションの使用時間を延長できる携帯情報端末装置を提供することを目的とする。
【００１７】
【課題を解決するための手段】
上記課題を解決するため、本発明の携帯情報端末装置は、外部との無線通信を行う無線部と、この無線部を制御する制御部を含むベースバンド部と、を備える携帯情報端末装置において、前記無線部への電源供給を遮断する電源供給遮断手段を備え、当該携帯情報端末装置が前記無線通信の圏外となった場合に、前記ベースバンド部への電源供給は維持したままで、前記電源供給遮断手段により前記無線部への電源供給を遮断するようにしたことを特徴としている。
【００１８】
或いは、本発明の携帯情報端末装置は、外部との無線通信を行う無線部と、この無線部を制御する制御部を含むベースバンド部と、を備える携帯情報端末装置において、前記無線部への電源供給を遮断する電源供給遮断手段と、当該携帯情報端末装置が前記無線通信の圏外となった場合に該圏外状態の継続時間を計測する圏外継続時間計測手段と、を備え、前記圏外継続時間計測手段により計測される前記継続時間が所定時間を越えた場合に、前記ベースバンド部への電源供給は維持したままで、前記電源供給遮断手段により前記無線部への電源供給を遮断するようにしたことを特徴としている。
【００１９】
ここで、携帯情報端末装置としては、例えば、携帯電話機が挙げられるが、その他にも、例えば、ＰＨＳ（Ｐｅｒｓｏｎａｌ  Ｈａｎｄｙ  Ｐｈｏｎｅ  Ｓｙｓｔｅｍ）や携帯型情報通信端末（ＰＤＡ：Ｐｅｒｓｏｎａｌ  Ｄｉｇｉｔａｌ
Ａｓｓｉｓｔａｎｔ）等が挙げられる。
【００２０】
また、ベースバンド部は、カメラ機能、音楽再生機能、スケジュール管理機能、電卓機能及びアラーム機能のうち少なくとも一つの機能を有することを好ましい例とする。
【００２１】
また、本発明の携帯情報端末装置においては、前記電源供給遮断手段は、前記無線部への電源の供給状態／遮断状態を切り替えるための電源供給／遮断切替スイッチを備えて構成され、前記電源供給／遮断切替スイッチを遮断状態に切り替えることにより、前記無線部への電源供給の遮断を行うようにしたことを好ましい例とする。
【００２２】
また、本発明の携帯情報端末装置においては、前記無線部への電源供給が前記電源供給遮断手段により遮断されてからの経過時間を計測する遮断時間計測手段と、前記遮断時間計測手段により計測される前記経過時間が所定時間を越えた場合に、前記無線部への電源供給を再開する電源供給再開手段と、を備えることが好ましい。
【００２３】
また、本発明の携帯情報端末装置においては、前記電源供給遮断手段による電源供給遮断の際に、前記制御部による前記無線部の制御を遮断する制御遮断手段を備えることも好ましい。
【００２４】
この場合、前記制御遮断手段は、前記制御部から前記無線部への制御の伝達状態／遮断状態を切り替えるための制御伝達／遮断切替スイッチを備えて構成され、前記制御伝達／遮断切替スイッチを遮断状態に切り替えることにより、前記制御遮断手段が前記無線部への制御の遮断を行うようにしたことが好ましい。
【００２５】
さらに、前記無線部への電源供給が前記電源供給遮断手段により遮断されてからの経過時間を計測する遮断時間計測手段と、前記遮断時間計測手段により計測される前記経過時間が所定時間を越えた場合に、前記無線部への電源供給と該無線部の前記制御部による制御とを再開する電源供給・制御再開手段と、を備えることも好ましい。
【００２６】
また、本発明の消費電力抑制方法は、外部との無線通信を行う無線部と、この無線部を制御する制御部を含むベースバンド部と、を備える携帯情報端末装置の消費電力を抑制する方法において、前記携帯情報端末装置が前記無線通信の圏外となった場合に、前記ベースバンド部への電源供給は維持したままで前記無線部への電源供給を遮断することを特徴としている。
【００２７】
或いは、本発明の消費電力抑制方法は、外部との無線通信を行う無線部と、この無線部を制御する制御部を含むベースバンド部と、を備える携帯情報端末装置の消費電力を抑制する方法において、前記携帯情報端末装置が前記無線通信の圏外となる状態の継続時間が所定時間を越えた場合に、前記ベースバンド部への電源供給は維持したままで前記無線部への電源供給を遮断することを特徴としている。
【００２８】
また、本発明の消費電力抑制方法においては、前記圏外となることに基づき前記無線部への電源供給が遮断されてからの経過時間が所定時間を越えた場合に、前記無線部への電源供給を再開することが好ましい。
【００２９】
また、本発明の消費電力抑制方法においては、前記圏外となることに基づく前記無線部への電源供給遮断の際に、前記制御部による前記無線部の制御も遮断することも好ましい。
【００３０】
この場合、前記圏外となることに基づき前記無線部への電源供給が遮断されてからの経過時間が所定時間を越えた場合に、前記無線部への電源供給と該無線部の前記制御部による制御とを再開することが好ましい。
【００３１】
本発明の携帯情報端末装置及びその消費電力抑制方法によれば、携帯情報端末装置が無線通信の圏外となった場合に無線部への電源供給を遮断するので、手動で電源をオン／オフしないでも消費電力を抑制することができる。しかも、ベースバンド部への電源供給は維持したままであるので、ベースバンド部が有する通信機能以外の機能、例えば、カメラ機能、音楽再生機能、スケジュール管理機能、電卓機能及びアラーム機能等は任意に使用することができる。加えて、消費電力を抑制する結果として、これらの通信機能以外の機能の使用時間を延長させることが可能となる。
【００３２】
【発明の実施の形態】
以下、図面を参照して、本発明に係る実施の形態について説明する。本実施の形態では、本発明に係る携帯情報端末装置の適例としての携帯電話機及びその消費電力抑制方法についての説明を行う。
【００３３】
図１乃至図２に示すように、本実施形態に係る携帯電話機１００は、ほぼ直方体形状の第１の筐体１Ａと、第１の筐体１Ａと同様の直方体形状の第２の筐体１Ｂと、第１の筐体１Ａと第２の筐体１Ｂとを相互に回動自在に結合するヒンジ機構１Ｃと、からなっていて、このヒンジ機構１Ｃを軸として第１及び第２の筐体１Ａ、１Ｂを相対的に回動させることにより、該筐体１Ａ、１Ｂを互いに重ね合わせるようにして折り畳んだり、或いは、開いたりすることができる構成となっている。なお、ヒンジ機構ＩＣは、第１及び第２の筐体１Ａ、１Ｂとは別体の構成要素としても良いし、或いは、第１及び第２の筐体１Ａ、１Ｂのそれぞれの一部分を組み合わせることによりヒンジ機構１Ｃが構成されるようにしても良い。
【００３４】
このような携帯電話機１００は、通話や電子メールの送受信といった通信機能の他に、例えば、カメラ機能、音楽再生機能、スケジュール管理機能、電卓機能及びアラーム機能といった、通信機能以外の各種アプリケーションの実行機能を有している。
【００３５】
また、図３に示すように、携帯電話機１００は、外部（具体的には、例えば基地局或いは家庭用親機）との無線通信を行う無線部１１３と、この無線部１１３を制御する制御部１３０を含むベースバンド部１１２と、当該携帯電話機１００の動作用電源としての、例えば充電可能な２次電池からなる電池１１０と、該電池１１０からベースバンド部１１２及び無線部１１３への電源供給を行う他、当該携帯電話機１００が充電器（図示略）に接続された際に電池１１０の充電に関する制御を行う電源部１１１と、該電源部１１１による無線部１１３への電源の供給状態／遮断状態を切り替えるための第１スイッチ（電源供給／遮断切替スイッチ）１１４と、制御部１３０と無線部１１３との間でのデータの送受信（制御部１３０から無線部１１３への制御を含む）の伝達状態／遮断状態を切り替えるための第２スイッチ（制御伝達／遮断切替スイッチ）１１５と、当該携帯電話機１００が圏外となった場合に該圏外状態の継続時間を計測するタイマー（圏外継続時間計測手段）１１６と、通話の際に相手方に送信される音声を検出する送話部６（図２）と、通話の際に相手方より受信される音声を発音する受話部７（図２）とを備えている。
【００３６】
このうち無線部１１３は、アンテナ１１３ａを備え、該アンテナ１１３ａにより基地局或いは家庭用親機からの無線信号を受信し、該受信した無線信号を復調する。このように復調された無線部１１３からの出力信号は、第２スイッチ１１５を介して音声信号又は制御信号として制御部１３０に入力される。このうち、音声信号は制御部１３０にて音声処理され受話部７（図２）から音声として出力され、制御信号は制御部１３０での処理に用いられる。また、無線部１１３は、制御部１３０からの音声信号又は制御信号を変調し無線信号に変えて、該無線信号をアンテナ１１３ａより基地局或いは家庭用親機に送信する。携帯電話機１００は、このように無線部１１３を介して無線通信を行うことにより、通話や電子メールの送受信等の通信機能を実行することができる。
【００３７】
ベースバンド部１１２の制御部１３０は、例えば、演算部及び制御部を備えるＣＰＵと、このＣＰＵにより実行される各種のプログラムと各プログラムの実行に必要な各種のデータとを記憶したＲＯＭと、プログラムの実行の際に生成される各種のデータ（カメラ撮影による画像データや、作製されたスケジュールに関するデータ）を一時的に記憶する記憶領域やＣＰＵの作業領域を備えるＲＡＭと、を備えて構成されている。
【００３８】
この制御部１３０は、スケジュール管理機能、電卓機能及びアラーム（目覚まし）機能の制御の他、音楽を再生する音楽再生部１２３の制御、静止画や動画の撮影を行うカメラ１２１の制御、記憶媒体１２２からの情報の読み取り或いは書き込みの制御等、各種アプリケーションの実行に関する制御を行うことが可能となっている。
【００３９】
なお、カメラ１２１、記憶媒体１２２及び音楽再生部１２３は、ベースバンド部１１２に搭載されている。
【００４０】
ここで、カメラ１２１は、詳細な図示は省略するが、例えば、レンズと、このレンズを介して被写体の光学像を受光及び検出するＣＣＤ（Ｃｈａｒｇｅ  Ｃｏｕｐｌｅｄ  Ｄｅｖｉｃｅ）等の受光センサとを備え、該受光センサで検出する光学像のデータを制御部１３０に出力する。
【００４１】
また、記憶媒体１２２は、例えば、近年普及しつつあるＳＤカードやメモリースティックの様に、携帯電話機１００の本体部から着脱可能なものであることが挙げられる。このような記憶媒体１２２は、例えば、音楽データや、カメラ１２１から取り込んだ画像データを記憶することができ、それらのデータを記憶した状態で携帯電話機１００の本体部より取り出して、他の機器（例えば他の携帯電話機）に装着し、該他の機器にて情報を読み取ることが可能となっている。
【００４２】
また、制御部１３０は、受信待受け並びに送信等の通信に関する制御（つまり無線部１１３の制御）、第１及び第２スイッチ１１４，１１５の切替制御、及び、各種の表示動作を行う表示部１２０の制御を行う。
【００４３】
ここで、表示部１２０は、例えば、携帯電話機１００を折り畳んだ際には内側に位置する面に配された第１表示部１２０ａと、折り畳んだ際にも外側に位置する面に配された第２表示装置１２０ｂとからなる。これら第１及び第２表示装置１２０ａ、１２０ｂは、例えば何れも液晶表示装置からなる。
【００４４】
なお、以上において、通話や電子メールの送受信といった通信機能、並びに、通信機能以外の各種アプリケーション機能は、ベースバンド部１１２が備える操作キー１２４が使用者に適宜に操作されることにより、制御部１３０の制御によって実行される。
【００４５】
操作キー１２４は、図２に示すように、例えば、携帯電話機１００を折り畳んだ際に内側となる面に複数備えられ、このうち一つのキーを操作するか、又は複数のキー操作を組み合わせて行うことにより、使用者は所望の機能を実行できる。
【００４６】
また、制御部１３０は、無線部１１３からの出力信号に基づき、当該携帯電話機１００が無線通信に適する圏内であるか、或いは、無線通信に適さない圏外であるかを判定する。すなわち、制御部１３０は、圏外か否かを判定する圏外判定手段としての機能を備える。
【００４７】
また、タイマー１１６は、制御部１３０により圏外であると判定された場合に、該圏外となっている状態の継続時間（以下、圏外継続時間Ｔ１）の計測を開始する。ここで、タイマー１１６は、携帯電話機１００が無線通信の圏外となった場合に該圏外状態の継続時間を計測する圏外継続時間計測手段として機能する。
【００４８】
そして、この圏外継続時間Ｔ１が第１所定時間（所定時間）Ｕ１（例えば、５分）を越えた場合には、制御部１３０は、第１及び第２スイッチ１１４，１１５をそれぞれオフ、すなわち遮断状態に切り替える制御を行う。
【００４９】
この結果、ベースバンド部１１２への電源供給は維持したままの状態で、無線部１１３への電源供給は遮断されるとともに、制御部１３０−無線部１１３間でのデータの送受信が遮断される（つまり制御部１３０による無線部１１３の制御も遮断される）。
【００５０】
ここで、制御部１３０及び第１スイッチ１１４は、無線部１１３への電源供給を遮断する電源供給遮断手段を構成している。
【００５１】
また、制御部１３０及び第２スイッチ１１５は、電源供給遮断手段による電源供給遮断の際に制御部１３０による無線部１１３の制御を遮断する制御遮断手段を構成している。
【００５２】
なお、このように制御部１３０により第１スイッチ１１４が遮断状態に切り替えられると、タイマー１１６は、該遮断状態に切り替えられてからの経過時間（以下、経過時間Ｔ２）の計測を開始する。ここで、タイマー１１６は、無線部１１３への電源供給が電源供給遮断手段により遮断されてからの経過時間を計測する遮断時間計測手段として機能する。
【００５３】
そして、経過時間Ｔ２が第２所定時間（所定時間）Ｕ２（例えば、６０分）を越えた場合には、制御部１３０は、第１スイッチ１１４をオン、すなわち供給状態に切り替える一方で、第２スイッチ１１５もオン、すなわち伝達状態に切り替える制御を行う。この結果、無線部１１３への電源供給と、制御部１３０−無線部１１３間でのデータの送受信とがそれぞれ再開される。
【００５４】
ここで、制御部１３０、第１スイッチ１１４及び第２スイッチ１１５は、経過時間が所定時間を越えた場合に無線部１１３への電源供給と該無線部１１３の制御部１３０による制御とを再開する電源供給・制御再開手段を構成している。特に、制御部１３０及び第１スイッチ１１４は、経過時間が所定時間を越えた場合に無線部１１３への電源供給を再開する電源供給再開手段を構成している。
【００５５】
なお、第１所定時間Ｕ１、第２所定時間Ｕ２は、例えば、各々の値が予め定められているとともに制御部１３０のＲＯＭに記憶されているものとするが、例えば使用者がこれら第１及び第２所定時間Ｕ１、Ｕ２（のうち少なくとも一方）を任意に変更することを可能としても良い。この場合、携帯電話機１００は、例えば、操作キー１２４を適宜に操作することにより第１及び第２所定時間Ｕ１、Ｕ２を変更できるように構成すれば良い。また、使用者により変更された第１及び第２所定時間Ｕ１、Ｕ２の値は、記憶媒体１２２或いは制御部１３０のＲＡＭにより記憶保持されるようにすれば良い。
【００５６】
次に、本実施形態の携帯電話機１００の動作について詳細に説明する。
【００５７】
例えば、携帯電話機１００が移動するか、或いは、無線電波の状態が変化することにより、該携帯電話機１００が無線通信の圏内から圏外となったとする。
【００５８】
すると、制御部１３０は、当該携帯電話機１００が圏外になったと判定するとともに、タイマー１１６に圏外継続時間Ｔ１の計測を開始させる。
【００５９】
そして、この圏外継続時間Ｔ１の計測値が第１所定時間Ｕ１を越えた場合、すなわち第１所定時間Ｕ１が経過するまで携帯電話機１００が圏外であり続けた場合、制御部１３０は、第１及び第２スイッチ１１４，１１５をそれぞれオフにすることによって無線部１１３への電源供給、及び、無線部１１３−制御部１３０間でのデータの送受信を遮断する。
【００６０】
すなわち、携帯電話機１００が無線通信の圏外となった場合、より具体的に言えば、携帯電話機１００が圏外となる状態の継続時間が第１所定時間Ｕ１を越えた場合に、ベースバンド部１１２への電源供給は維持したままで無線部１１３への電源供給を遮断する。しかも、圏外となることに基づく無線部１１３への電源供給遮断の際には、制御部１３０による無線部１３０の制御も遮断する。
【００６１】
なお、圏外継続時間Ｔ１の計測中に（移動或いは電波状態の変化により）携帯電話機１００が圏内となった場合には、圏外継続時間Ｔ１の計測を終了し、再び圏外となった場合には圏外継続時間Ｔ１の計測を最初からやり直す。
【００６２】
つまり、携帯電話機１００が第１所定時間Ｕ１よりも長く圏外であり続けた場合に、無線部１１３への電源供給及び無線部１１３−制御部１３０間でのデータの送受信を遮断する。
【００６３】
また、このように無線部１１３への電源供給及び無線部１１３−制御部１３０間でのデータの送受信を遮断する際には、制御部１３０はタイマー１１６に経過時間Ｔ２の計測を開始させる。
【００６４】
その後、この経過時間Ｔ２の計測値が第２所定時間Ｕ２を越えると、制御部１３０は、第１及び第２スイッチ１１４，１１５をそれぞれオンにすることによって、無線部１１３への電源供給及び無線部１１３−制御部１３０間でのデータの送受信を再開する。
【００６５】
すなわち、圏外となることに基づき無線部１１３への電源供給が遮断されてからの経過時間が第２所定時間Ｕ２を越えた場合に、無線部１１３への電源供給と該無線部１１３の制御部１３０による制御とを再開する。
【００６６】
また、このように無線部１１３への電源供給及び無線部１１３−制御部１３０間でのデータの送受信が再開されると、制御部１３０は再び圏外か否かの判定を行うが、この際にも圏外と判定される場合には、再び圏外継続時間Ｔ１の計測開始以降の処理を上記と同様に行う。
【００６７】
他方、この再開の際には圏内と判定される場合には、通常時の待受け動作、すなわち通話或いは電子メール等の受信待受けを行う。
【００６８】
なお、カメラ機能、音楽再生機能、スケジュール管理機能、電卓機能及びアラーム機能といった通信機能以外の各種アプリケーションは、無線部１１３への電源供給及びデータ送受信の遮断、或いは、これらの再開とは関わりなく、常時実行することができる。
【００６９】
つまり、例えば上記のように無線部１１３への電源供給及び無線部１１３−制御部１３０間でのデータの送受信が遮断された後も、ベースバンド部１１２への電源供給は維持されたままの状態であるので、これら通信機能以外の各種アプリケーションは任意に実行することができる。
【００７０】
次に、これらの動作について、図４のフローチャートを参照して説明する。
【００７１】
なお、この図４の処理は、例えば、制御部１３０への電源供給時には、該制御部１３０により常時行われる処理である。
【００７２】
先ず、図４のステップＳ１では、当該携帯電話機１００が圏外か否かを判定する。
【００７３】
このステップＳ１にて圏外であると判定した場合（ステップＳ１のＹＥＳ）には、ステップＳ２に移行し、タイマー１１６に圏外継続時間Ｔ１の計測を開始させる。
【００７４】
ステップＳ２に続くステップＳ３では、圏外継続時間Ｔ１と第１所定時間Ｕ１との比較を行い、圏外継続時間Ｔ１が第１所定時間Ｕ１よりも大きいと判定した場合（ステップＳ３のＹＥＳ）には、ステップＳ４に移行する。
【００７５】
ステップＳ４では、第１及び第２スイッチ１１４，１１５をそれぞれオフにすることによって、無線部１１３への電源供給及び無線部１１３−制御部１３０間でのデータの送受信を遮断する。
【００７６】
ステップＳ４に続くステップＳ５では、無線部１１３への電源遮断後の経過時間Ｔ２の計測をタイマー１１６に開始させる。
【００７７】
ステップＳ５に続くステップＳ６では、経過時間Ｔ２と第２所定時間Ｕ２との比較を行う。
【００７８】
このステップＳ６は、経過時間Ｔ２が第２所定時間Ｕ２よりも大きいと判定するまで（ステップＳ６のＹＥＳとなるまで）繰り返される。
【００７９】
ステップＳ６に続くステップＳ７では、第１及び第２スイッチ１１４，１１５をそれぞれオンにすることによって、無線部１１３への電源供給及び無線部１１３−制御部１３０間でのデータの送受信を再開する。
【００８０】
ステップＳ７に続くステップＳ８では、通常時の待ち受けを開始させる処理を行う。
【００８１】
以後は、ステップＳ１以降の処理を繰り返し行う。
【００８２】
また、上記のステップＳ１にて、圏外でないと判定した場合（ステップＳ１のＮＯ）には、ステップＳ８に移行し、通常時の待ち受けを開始させる処理を行う。
【００８３】
また、上記のステップＳ３にて、圏外継続時間Ｔ１が第１所定時間Ｕ１よりも大きくはないと判定した場合（ステップＳ３のＮＯ）には、ステップＳ９に移行する。
【００８４】
ステップＳ９では、圏外か否かの判定を行い、圏外であると判定した場合（ステップＳ９のＹＥＳ）には、ステップＳ３に移行する。つまり、圏外継続時間Ｔ１の計測中に圏外であり続けた場合に、圏外継続時間Ｔ１の計測値が増大する。
【００８５】
他方、ステップＳ９にて、圏外ではないと判定した場合（ステップＳ９のＮＯ）には、ステップＳ８に移行し、通常時の待ち受けを開始させる処理を行う。つまり、圏外継続時間Ｔ１の計測中に圏内となれば、該計測を中止する。
【００８６】
次に、図５を参照して、基地局側で行われる処理について説明する。
【００８７】
先ず、図５のステップＳ１１に示すように、基地局は、携帯電話機１００の無線部１１３からの微弱電波に基づき、該携帯電話機１００を認識できるか否かを判定する。なお、この微弱電波は、無線部１１３への電源供給時には随時、該無線部１１３より基地局に発せられる。
【００８８】
ステップＳ１１にて、携帯電話機１００を認識できると判定した場合（ステップＳ１１のＹＥＳ）には、携帯電話機１００が圏内であるとしてステップＳ１２に移行し、圏内時の処理を行う。この圏内時の処理には、例えば、携帯電話機１００宛の通信情報（無線信号）がある場合に該通信情報を携帯電話機１００に送信する処理や、携帯電話機１００からの通信情報（無線信号）がある場合に該通信情報を受信する処理などが含まれる。
【００８９】
他方、ステップＳ１１にて、携帯電話機１００を認識できないと判定した場合（ステップＳ１１のＮＯ）には、携帯電話機１００が圏外であるとしてステップＳ１３に移行し、圏外時の処理を行う。この圏外時の処理には、例えば、携帯電話機１００宛の通信情報（無線信号）を新たに受信した場合に該通信情報を所定の記憶部に記憶させる処理などが含まれる。
【００９０】
ステップＳ１２又はＳ１３の後は、引き続き、ステップＳ１１からの処理を繰り返し行う。
【００９１】
基地局では、上記のような処理を行うため、例えば、図４のステップＳ４におけるように、携帯電話機１００の無線部１１３への電源供給が遮断された場合には、ステップＳ１１→ステップ１３と移行し、該ステップＳ１３にて圏外時の処理を行う。
【００９２】
以上のように、本実施形態の携帯電話機１００及びその消費電力抑制方法によれば、該携帯電話機１００が無線通信の圏外となった場合に無線部１１３への電源供給を遮断するので、手動で電源をオン／オフしないでも無線部１１３における消費電力を節約することができる。
【００９３】
しかも、ベースバンド部１１２への電源供給は維持したままであるので、ベースバンド部１１２が備える通信機能以外のアプリケーション、すなわち、例えば、カメラ機能、音楽再生機能、スケジュール管理機能、電卓機能及びアラーム機能は普通に使用することができる。
【００９４】
加えて、このように消費電力を節約しながらも、例えばアラーム機能のように常時電源をオンにしていなければ無意味となる機能を有効に使用することができる。
【００９５】
また、このように消費電力を抑制する結果として、これらの通信機能以外のアプリケーションの使用時間を飛躍的に延長させることできる。
【００９６】
さらに、携帯電話機１００が無線通信の圏外となった場合に無線部１１３−制御部１３０間でのデータの送受信を遮断するので、該遮断時における各種アプリケーションの動作をよりスムーズに行うことが可能となり、その動作パフォーマンスを向上させることができる。
【００９７】
このように通信機能以外のアプリケーションの動作パフォーマンスを向上させたり、該アプリケーションの使用時間を延長させたりといった効果は、特に海外旅行のときなどに有効である。
【００９８】
なお、上記の実施の形態では、本発明に係る携帯情報端末装置の一例として、携帯電話機１００についてのみ説明したが、本発明はこれに限らず、例えば、ＰＨＳ、携帯型情報通信端末（ＰＤＡ）等のその他の携帯情報端末装置にも同様に適用可能である。
【００９９】
また、上記においては、圏外継続時間Ｔ１が第１所定時間Ｕ２を越えた場合に無線部１１３への電源供給（及び制御）を遮断する例を説明したが、圏外となった場合に直ちに無線部１１３への電源供給（及び制御）を遮断するようにしても良い。
【０１００】
また、上記においては、第１及び第２所定時間Ｕ１、Ｕ２の設定を、携帯電話機１００の操作により行うことが可能な例を説明したが、例えば、該携帯電話機１００に外部機器を接続可能にし、該外部機器を操作することにより設定できるようにしても良い。
【０１０１】
さらに、上記においては、無線部１１３への電源遮断後の経過時間Ｔ２の計測は、第２所定時間Ｕ２が経過するまで（必ず）継続される例を説明したが、該経過時間Ｔ２の計測中に、例えば通話操作、電子メールの送信操作或いは電子メールの受信要求操作等の通信操作が行われた場合には、無線部１１３への電源供給及び該無線部１１３の制御部１３０による制御を再開するようにしても良い。すなわち、遮断時間計測手段による経過時間の計測中に通信操作がなされた場合に、前記無線部への電源供給と該無線部の前記制御部による制御とを再開する電源供給・制御再開手段を備えるようにしても良い。
【０１０２】
【発明の効果】
本発明によれば、携帯情報端末装置が無線通信の圏外となった場合に無線部への電源供給を遮断するので、手動で電源をオン／オフしないでも消費電力を抑制することができる。しかも、ベースバンド部への電源供給は維持したままであるので、ベースバンド部が有する通信機能以外の機能、例えば、カメラ機能、音楽再生機能、スケジュール管理機能、電卓機能及びアラーム機能等は任意に使用することができる。加えて、消費電力を抑制する結果として、これらの通信機能以外の機能の使用時間を延長させることができる。
【図面の簡単な説明】
【図１】本発明に係る携帯情報端末装置の好適な一例としての携帯電話機の全体図であり、特に、折り畳んだ際に外側となる面を示す。
【図２】携帯電話機の全体図であり、特に、折り畳んだ際に内側となる面を示す。
【図３】携帯電話機における主要な制御ブロック図である。
【図４】携帯電話機が行う主要な制御フローを示すフローチャートである。
【図５】基地局側の制御フローを示すフローチャートである。
【符号の説明】
１００    携帯電話機（携帯情報端末装置）
１１２    ベースバンド部
１１３    無線部
１３０    制御部（電源供給遮断手段、電源供給再開手段、制御遮断手段、電源供給・制御再開手段）
１１４    第１スイッチ（電源供給／遮断切替スイッチ、電源供給遮断手段、電源供給再開手段、電源供給・制御再開手段）
１１５    第２スイッチ（制御伝達／遮断切替スイッチ、制御遮断手段、電源供給・制御再開手段）
１１６    タイマー（圏外継続時間計測手段、遮断時間計測手段）
【図１】
2004343383.tif 000003
【図２】
2004343383.tif 000004
【図３】
2004343383.tif 000005
【図４】
2004343383.tif 000006
【図５】
2004343383.tif 000007